【事件の表示】
　特願２００４−５０４２７０「発光装置」拒絶査定不服審判事件〔平成１５年１１月２０日国際公開、ＷＯ０３／９６３８７、平成１７年　８月１８日国内公表、特表２００５−５２４９８９〕について、次のとおり審決する。
【結　論】
　本件審判の請求は、成り立たない。
【理　由】
１　手続の経緯・本願発明
　本願は、平成１５年５月８日（パリ条約による優先権主張２００２年５月８日、アメリカ合衆国）を国際出願日とする出願であって、平成１８年５月１７日付け及び平成２０年１１月４日付けで手続補正がなされ、平成２１年１月６日付けで拒絶査定がなされ、これに対し、同年４月１０日に拒絶査定不服審判請求がなされるとともに、これと同時に手続補正がなされ、その後当審において平成２２年６月１７日付けで拒絶理由が通知され、同年１０月１９日付けで手続補正がなされ、同年１１月５日付けで最後の拒絶理由が通知され、平成２３年２月２８日付けで手続補正がなされたものである。
　
　そして、本願の請求項に係る発明は、平成２３年２月２８日付け手続補正による補正後の特許請求の範囲の請求項１ないし５に記載された事項によって特定されるものであるところ、請求項１に係る発明は次のとおりと認められる。
　
「発光装置であって、
　ハウジング内に収容された、固体発光器のアレイであって、少なくとも２つの光モジュールを含むとともに、各光モジュールは、電気的絶縁性で熱伝導性の基板上に配置された複数の固体発光器を含み、前記複数の固体発光器は、所望の動作における必要パワー密度によって決められるスペースを持って基板上に配置されている、固体発光器のアレイと、
　前記ハウジング内に収容されたトランジスタを用いた電流制御回路であって、前記固体発光器のアレイに電気的に接続され、電源からの電力を受け取り、各固体発光器の電流をバランスさせ、複数の光モジュールを含む固体発光器のアレイの電流をバランスさせる、トランジスタを用いた電流制御回路と、
　前記ハウジングに取り付けられ、前記固体発光器のアレイからの熱を放散させるヒートシンクと、
　を備える発光装置。」（以下「本願発明」という。）
　
　
２　引用刊行物の記載事項
（１）引用刊行物１
　当審において通知した拒絶理由に引用した、本願の優先日前に頒布された刊行物である米国特許第５９３６３５３号明細書（クラス３１５）（以下「引用刊行物１」という。）には、図とともに下記の事項が記載されている（なお、和訳をかっこ書きした。）。
　
　ア　「BACKGROUND OF THE INVENTION
　This application pertains to the art of illumination systems used in connection with automated visual inspection systems・・・. 」（第１欄第５〜８行）
（発明の背景
　この出願は自動視覚検査システムに関連して使用される照明システムの技術に関する・・・。）
　
　イ　「DETAILED DESCRIPTION OF THE PREFERRED EMBODIMENT
　・・・FIG. 1 illustrates a preferred embodiment of a high-density solid-state lighting array of the subject invention. The array A includes a base portion 10 comprised of an electrically-insulative, thermally-conductive material. ・・・
　In the illustration of FIG. 1, the generally-planar base portion 10 has several light emitting elements in the form of light emitting diodes (LEDs) 12 disposed on a single surface thereof. The LEDs emit light when electrically forward biased. In the illustration, each of the LEDs 12 is formed of a semiconductor compound and has an associated p-n junction, ・・・. The selected semiconductor compound used to form the LEDs 12 has the property of directly converting a percentage of the electrons which are conducted through their volume into emitted photons in the UV, visible, and/or IR portions of the electromagnetic spectrum. ・・・A spacing d, which is approximately 0.05 (inches) in a preferred embodiment of the invention, is provided between rows of LEDs 12, which distance is chosen to maximize the optical output power of the LED array. ・・・ Common power conductors, exemplary shown at 20, are suitably disposed on the surface of the base portion 10 to provide electrical connections to each of the LEDs 12.
　As noted above, all LEDs 12 are suitably fabricated on a single surface 22 of the base portion 10 in the lighting array or pattern. At high packing densities, such as the high density of the preferred embodiment (0.05 apart), management of the ancillary thermal energy generated during operation of the lighting array becomes one of the main issues governing the successful use of solid-state lighting arrays for general lighting applications. So, in the preferred embodiment, an opposite surface of the base portion 10, located at 24, is disposed adjacent to and in a thermally-conductive path to a heat dissipator, illustrated generally at 30, to reduce the temperature of the LEDs within the array. In the preferred embodiment, the heat dissipator 30 is an active heat reservoir capable of freely exchanging thermal energy with the ambient environment and includes a thermal-electric cooler 32 and a finned heat sink 34. ・・・
・・・
　Referring again to FIG. 1, application of electric current to the thermal-electric module 32 provides for conduction of heat from the base unit 10, through its second surface 24, to the finned heat sink 34. Thus, substantial amounts of heat may be quickly conducted away from the LEDs 12, which are relatively densely packed.」（第３欄第１１行〜第４欄第４４行）
（好ましい態様の詳細な説明
　・・・図１は主題発明の高密度固体発光アレイの好ましい一実施態様を図示するものである。アレイＡは電気的に絶縁性で熱伝導性の物質からなるベース部分１０を含む。・・・
　図１において、概ね平坦なベース部分１０は、その一表面上に配置された発光ダイオード（ＬＥＤｓ）で形成されたいくつかの発光素子を有する。ＬＥＤｓは電気的に順方向にバイアスされたときに光を発する。図において、それぞれのＬＥＤｓ１２は半導体化合物から形成され、結合したｐ−ｎ接合を有し、・・・。ＬＥＤｓ１２を形成するのに使用される選択された半導体化合物はその体積を通して伝導されるある割合の電子を電磁スペクトルのＵＶ、可視、そして／あるいはＩＲ部分の放出されたフォトンに直接変換する特性を有する。・・・間隔ｄは、発明の好ましい態様では約０．０５″（インチ）であり、ＬＥＤｓ１２の列の間に形成され、その距離はＬＥＤアレイの光学的出力を最大化するように選択される。・・・２０で例示されている共通パワー導電体はそれぞれのＬＥＤｓ１２に電気接続するようにベース部分１０の表面上に適切に配置される。
　上述したように、すべてのＬＥＤｓ１２はベース部分１０の一表面２２上に発光アレイ状あるいはパターン状に適切に製造される。高密度の配置、例えば０．０５″離れたといった好ましい態様では、発光アレイの作動中に生成される付加的な熱エネルギーを処理することが固体発光アレイを一般的な発光利用に上手に使用するために主要な問題となる。そのため、好ましい態様では、アレイ内のＬＥＤｓの温度を下げるために、２４に位置するベース部分１０の反対側の面が、３０で一般的に示される熱消散のための熱伝導路付近そしてその中に配置される。好ましい態様では、熱消散器３０は周囲の環境と自由に熱エネルギーを交換し、熱電クーラー３２とフィン熱シンク３４を含むアクティブな熱貯蔵器である。・・・
　・・・
　再び図１を参照して、熱電モジュール３２に電流を適用すると、熱は、べースユニット１０からその第２面２４を通してフィン熱シンク３４へと流れる。このように、相当な量の熱が、比較的高密度で詰められたＬＥＤｓ１２から急激に流れ出るかもしれない。）
　
　ウ　「Turning now to FIG. 7, an example inspection system B employing the high-density solid-state lighting array A of FIG. 1 is provided. ・・・
・・・
　In a continuous mode, the drive current to the LEDs is an electronically configurable parameter and the lighting control unit 50 provides controlled continuous current to the individual LED's in the range of 1 to 200 mA. In addition, different geometric areas within the array may be independently addressable as a function of current level. In one embodiment, the LEDs all emit optical radiation of essentially the same limited wavelength range so that the control unit 50 provides a configurable intensity and geometry functionality which can be utilized to optimize the emitted radiation fields for a given application area.
　The lighting control unit 50 operates under the direction and control of a suitable computer system 52. A camera or image acquisition means is illustrated generally at 60. It will be appreciated, however, that additional cameras, such as that 60', are also suitably utilized. Camera or cameras 60 are trained onto an inspection area 62 which is selectively illuminated by the array A under control of the lighting control unit 50 and the computer 52. Images of a specimen 54 disposed in the illumination area 62 are acquired by the camera or cameras. Such images are communicated to the computer system 52 for analysis. 」（第５欄第４１行〜第６欄第２４行）
（図７には、図１の高密度固体発光アレイＡを使った試料検査システムＢが示されている。・・・
　・・・
　連続モードでは、ＬＥＤｓに対するドライブ電流は電気的に設定可能なパラメーターであり、発光制御ユニット５０は個々のＬＥＤに対して１から２００ｍＡの範囲の制御された連続的な電流を供給する。加えて、アレイ内の異なる幾何学的領域は電流レベルの関数として独立してアドレスできるかもしれない。一態様において、与えられた利用領域に対して放出された放射場を最大限利用できるよう、制御ユニット５０が設定可能な強度と幾何学的な機能性を提供し、ＬＥＤはすべて本質的に同じ制限された波長範囲の光学的放射を放出する。
　発光制御ユニット５０は適当なコンピュータシステム５２の指示と制御の下に作動する。カメラあるいは画像取得手段が一般的に６０として示されている。しかしながら、例えば６０′のような付加的なカメラもまた適当に使用されることが理解されよう。それらのカメラ６０は発光制御ユニット５０及びコンピューター５２の制御下にあるアレイＡによって選択的に照明された試料領域６２に向けられる。照明領域６２に配置された試料５４の画像はそれらのカメラにより取得される。そのような画像は解析のためコンピュータシステム５２に伝達される。）
　
　エ　「9. An apparatus comprising:
a lighting array for selectively illuminating a viewing area comprising,
a plurality of individual light emitting elements formed of a semiconductor compound which directly converts a percentage of electrons which are conducted through their volume into emitted photons in one of UV, visible, and IR portions of an electromagnetic spectrum, the light emitting elements being placed within a one- or two-dimensional pattern wherein element spacing is less than or equal to 0.05,
an electrically insulative, thermally conductive support substrate upon which the light emitting elements are attached in formation of the pattern, said support substrate specifically selected for its ability to facilitate conduction of locally generated thermal energy away from the light emitting elements while at the same time providing a sufficient degree of electrical isolation required to support parallel and series circuit construction associated with the individual light-emitting elements, and,
a heat dissipater disposed in direct thermal contact with the thermally conductive support substrate reducing the temperature of the light-emitting elements within the array;
a camera for acquiring images of specimens disposed in the illuminated viewing area;
a lighting control unit in communication with the lighting array; and,
a computer in communication with the camera to receive the acquired images and in communication with the lighting control unit.」（第７欄第２５〜５６行）
（９　その体積を通して伝導されるある割合の電子を電磁スペクトルのＵＶ、可視、そして／あるいはＩＲ部分の放出されたフォトンに直接変換する半導体化合物から形成される多数の個別の発光素子であって、その間隔が０．０５″以下の一次元あるいは二次元のパターンに配置されている発光素子と、
　前記発光素子がパターンを形成するように取り付けられ、局所的に生成された熱エネルギーを発光素子から流れ出すのを促進するようにその能力が特に選択され、同時に個々の発光素子に関連づけられ、平行で一連の回路構造を支持するのに求められる十分な程度の電気的分離を提供する、電気的に絶縁性で熱伝導性の支持基板と、
　熱伝導支持基板と直接熱的にコンタクトするように配置され、アレイ内の発光素子の温度を低下させる熱消散器と、からなる、観察領域を選択的に照明するための発光アレイと；
　照明された観察領域に配置された試料の画像を取得するカメラと；
　発光アレイを接続された発光制御ユニットと；
　取得画像を受け取るためにカメラと接続され、発光制御ユニットと接続されたコンピューターと；
からなる装置。）
　
　オ　上記イに照らして図１を見ると、以下の（ア）ないし（ウ）が見て取れる。
　（ア）発光ダイオード（ＬＥＤｓ）１２は、ベース部１０の一表面上にマトリックス状に配列されること
　（イ）ＬＥＤｓ１２列の間隔がｄであること
　（ウ）ベース部分１０のＬＥＤｓ１２が配置されたのとは反対側の面に熱消散器３０が配置されること
　
　よって、これらの記載を総合すると、引用刊行物１には、次の発明（以下「引用発明１」という。）が記載されていると認められる。
　
「電気的に絶縁性で熱伝導性の物質からなるベース部分１０を含む高密度固体発光アレイ（アレイＡ）であって、
　概ね平坦なベース部分１０は、その一表面上に配置された発光ダイオード（ＬＥＤｓ）で形成されたいくつかの発光素子を有し、
　発光ダイオード（ＬＥＤｓ）１２は、ベース部１０の一表面上にマトリックス状に配列され、
　ＬＥＤｓ１２列の間隔ｄは、その距離がＬＥＤアレイの光学的出力を最大化するように選択され、
　共通パワー導電体２０はそれぞれのＬＥＤｓ１２に電気接続するようにベース部分１０の表面上に適切に配置され、
　アレイ内のＬＥＤｓの温度を下げるために、ベース部分１０のＬＥＤｓ１２が配置されたのとは反対側の面に熱消散器３０が配置され、熱消散器３０は、周囲の環境と自由に熱エネルギーを交換し、熱電クーラー３２とフィン熱シンク３４を含むアクティブな熱貯蔵器であり、
　連続モードでは、ＬＥＤｓに対するドライブ電流は電気的に設定可能なパラメーターであり、発光制御ユニット５０は個々のＬＥＤに対して１から２００ｍＡの範囲の制御された連続的な電流を供給し、加えて、アレイ内の異なる幾何学的領域は電流レベルの関数として独立してアドレスできるかもしれない、高密度固体発光アレイ。」
　
（２）引用刊行物２
　当審において通知した拒絶理由に引用した、本願の優先日前に頒布された刊行物である特開平８−２０１９３０号公報（以下「引用刊行物２」という。）には、図とともに下記の事項が記載されている。
　
　ア　「【特許請求の範囲】
【請求項１】  加えられた電気信号に応じて画像を表示する２次元平面状の透明媒体と、
赤色、緑色及び青色の３色を同時に又は逐次に発光し、前記透明媒体に表示された画像を露光する露光光源手段と、
前記透明媒体を挟んで前記露光光源手段の反対側に２次元平面状に配置され、透明媒体に表示された画像を感光材料上に結像させる結像手段と、
を備えたことを特徴とする露光装置。
【請求項２】  前記露光光源手段は、多数の赤色、緑色及び青色ＬＥＤ素子を２次元平面状に配置した２次元ＬＥＤアレイであることを特徴とする請求項１に記載の露光装置。
・・・」
　
　イ　「【０００１】
【産業上の利用分野】本発明は露光装置に係り、特に、感光材料上に画像を結像させる露光装置に関する。」
　
　ウ　「【００２１】
【実施例】以下、本発明に係る露光装置の第１実施例を、ディジタル露光装置について適用し、図面に基づき説明する。
【００２２】図２に示したように、このデジタル露光装置１０は、感材２０を露光する光学部７０と、光学部７０及び感材２０のいわゆる紙送りを制御する制御部５０と、で構成されている。
【００２３】図１に示したように、光学部７０の防塵構造の筐体１８内には、多数の赤色（以下、Ｒという。）、緑色（以下、Ｇという。）及び青色（以下、Ｇという。）のＬＥＤ素子を２次元平面状に配置した２次元ＲＧＢ−ＬＥＤアレイ（以下、ＤＡという。）１２、電気信号により透過率が変化するカラー液晶ディスプレイ（以下、ＬＣＤという。）１４及びセルフォックレンズ（１／４ピッチロッドレンズ）を２次元平面状に密集配置したセルフォックレンズアレイ（以下、ＳＬＡという。）１６、が感材２０の反対側から順に配設されている。・・・
【００２４】ＤＡ１２のＬＥＤ素子は、照度ムラが生じないように、各単一色のＬＥＤ素子間の間隔は均一に配置されると共に、感材２０の感度を考慮して素子数が決められている。
・・・
【００２７】図２に示したように、制御部５０は、ＤＡ１２のＬＥＤ素子を点灯するＤＡドライバ６２と、ＬＣＤ１４に画像信号を出力するＬＣＤドライバ６４と、感材２０を図示しないローラを介して送る（いわゆる紙送り）動力源としてのモータ６８と、モータ６８を駆動するモータドライバ６６と、を含む。・・・」
　
　エ　「【００４１】また、ＤＡドライバ６２を調整することにより、ＬＥＤ素子の輝度分布を均一にすることもできる。・・・」
　
　よって、これらの記載を総合すると、引用刊行物２には、次の発明（以下「引用発明２」という。）が記載されていると認められる。
　
「加えられた電気信号に応じて画像を表示する２次元平面状の透明媒体と、
　赤色、緑色及び青色の３色を同時に又は逐次に発光し、前記透明媒体に表示された画像を露光する露光光源手段と、
　前記透明媒体を挟んで前記露光光源手段の反対側に２次元平面状に配置され、透明媒体に表示された画像を感光材料上に結像させる結像手段と、を備えた露光装置において、
  前記露光光源手段は、多数の赤色、緑色及び青色ＬＥＤ素子を２次元平面状に配置した２次元ＬＥＤアレイであり、
　２次元ＬＥＤアレイ（２次元ＲＧＢ−ＬＥＤアレイ）のＬＥＤ素子を点灯するＤＡドライバを調整することにより、ＬＥＤ素子の輝度分布を均一にする、露光装置。」
　
　
３　対比
　本願発明と引用発明１を対比する。
　
（１）引用発明１の「発光ダイオード（ＬＥＤｓ）１２」は、「（電気的に絶縁性で熱伝導性の物質からなる）ベース部分１０の一表面上にマトリックス状に配列され」るものであって、「ＬＥＤｓ１２列の間隔ｄ」を備えているものであるから、「（マトリックス状に配列された）発光ダイオード（ＬＥＤｓ）１２」は、スペースを持って「ベース部分１０」上に配置されているといえる。また、「『（電気的に絶縁性で熱伝導性の物質からなる）ベース部分１０』の一表面上に『発光ダイオード（ＬＥＤｓ）１２』をマトリックス状に配列した部材」は、「（電気的絶縁性で熱伝導性の基板上に配置された複数の固体発光器を含む）１つの光モジュール」であるといえる。したがって、
　ア　引用発明１の「（マトリックス状に配列された）発光ダイオード（ＬＥＤｓ）１２」、「（電気的に絶縁性で熱伝導性の物質からなる）ベース部分１０」及び「『（電気的に絶縁性で熱伝導性の物質からなる）ベース部分１０』の一表面上に『発光ダイオード（ＬＥＤｓ）１２』をマトリックス状に配列した部材」は、それぞれ、本願発明の「固体発光器（のアレイ）」、「電気的絶縁性で熱伝導性の基板」及び「（電気的絶縁性で熱伝導性の基板上に配置された複数の固体発光器を含む）１つの光モジュール」に相当し、
　イ　引用発明１の「（マトリックス状に配列された）発光ダイオード（ＬＥＤｓ）１２」は、本願発明の「ハウジング内に収容された、固体発光器のアレイであって、少なくとも２つの光モジュールを含むとともに、各光モジュールは、電気的絶縁性で熱伝導性の基板上に配置された複数の固体発光器を含み、前記複数の固体発光器は、所望の動作における必要パワー密度によって決められるスペースを持って基板上に配置されている、固体発光器のアレイ」と、「固体発光器のアレイであって、１つの光モジュールを含むとともに、光モジュールは、電気的絶縁性で熱伝導性の基板上に配置された複数の固体発光器を含み、前記複数の固体発光器は、スペースを持って基板上に配置されている、固体発光器のアレイ」である点で一致する。
　
（２）引用発明１の「高密度固体発光アレイ」は、「連続モードでは、ＬＥＤｓに対するドライブ電流は電気的に設定可能なパラメーターであり、発光制御ユニット５０は個々のＬＥＤに対して１から２００ｍＡの範囲の制御された連続的な電流を供給し、加えて、アレイ内の異なる幾何学的領域は電流レベルの関数として独立してアドレスできるかもしれない」ものであって、該「発光制御ユニット５０」は、「（マトリックス状に配列された）発光ダイオード（ＬＥＤｓ）１２」に電気的に接続され、電源から電力を受け取る「電流制御回路」である、といえるから、引用発明１の「（マトリックス状に配列された）発光ダイオード（ＬＥＤｓ）１２に電気的に接続され、電源から電力を受け取る『発光制御ユニット５０』」は、本願発明の「前記ハウジング内に収容されたトランジスタを用いた電流制御回路であって、前記固体発光器のアレイに電気的に接続され、電源からの電力を受け取り、各固体発光器の電流をバランスさせ、複数の光モジュールを含む固体発光器のアレイの電流をバランスさせる、トランジスタを用いた電流制御回路」と、「前記固体発光器のアレイに電気的に接続され、電源からの電力を受け取る電流制御回路」である点で一致する。
　
（３）引用発明１の「高密度固体発光アレイ」は、「アレイ内のＬＥＤｓの温度を下げるために、ベース部分１０のＬＥＤｓ１２が配置されたのとは反対側の面に熱消散器３０が配置され、熱消散器３０は、周囲の環境と自由に熱エネルギーを交換し、熱電クーラー３２とフィン熱シンク３４を含むアクティブな熱貯蔵器であ」るから、引用発明１の「（アレイ内のＬＥＤｓの温度を下げるために、ベース部分１０のＬＥＤｓ１２が配置されたのとは反対側の面に配置された）熱消散器３０」は、本願発明の「前記ハウジングに取り付けられ、前記固体発光器のアレイからの熱を放散させるヒートシンク」と、「前記固体発光器のアレイからの熱を放散させるヒートシンク」である点で一致する。
　
（４）引用発明１の「高密度固体発光アレイ」は、本願発明の「発光装置」に相当する。
　
.　したがって、本願発明と引用発明１とは、　  
「発光装置であって、
　固体発光器のアレイであって、１つの光モジュールを含むとともに、光モジュールは、電気的絶縁性で熱伝導性の基板上に配置された複数の固体発光器を含み、前記複数の固体発光器は、スペースを持って基板上に配置されている、固体発光器のアレイと、
　前記固体発光器のアレイに電気的に接続され、電源からの電力を受け取り、電流制御回路と、
　前記固体発光器のアレイからの熱を放散させるヒートシンクと、
　を備える発光装置。」
である点で一致し、次の点で相違する。　  
 　 
相違点
［相違点１］
　本願発明は、固体発光器のアレイがハウジング内に収容され、複数の固体発光器が、所望の動作における必要パワー密度によって決められるスペースを持って基板上に配置されており、また、ヒートシンクが前記ハウジングに取り付けられ、電流制御回路がハウジング内に収容されているのに対し、引用発明１は、そのようなハウジングがあるのか否か明らかではなく、また、複数の固体発光器が所望の動作における必要パワー密度によって決められるスペースを持って基板上に配置されているのか否かも明らかでない点。
［相違点２］
　本願発明は、少なくとも２つの光モジュールを含み、電流制御回路が、トランジスタを用いたものであって、各固体発光器の電流をバランスさせ、複数の光モジュールを含む固体発光器のアレイの電流をバランスさせるものであるのに対し、引用発明１は、少なくとも２つの光モジュールを含むか否か明らかではなく、電流制御回路がそのようなものであるのか否かも明らかではない点。
　
　
４　判断
　上記相違点につき検討する。
［相違点１］について
　複数の発光素子をアレイ状に配列した基板をハウジング内に収容する発光装置は本願の優先日時点で周知である（必要なら、特開平８−２２２５６号公報（【０００３】、【０００４】、図１、図２）、国際公開第００／３７９０４号（第２頁第３２行〜第３頁第４行、図１）、国際公開第０２／２３９５４号（第３頁第１５〜２１行、図１）参照。）ところ、引用発明１において、「（マトリックス状に配列された）発光ダイオード（ＬＥＤｓ）１２」の「列の間隔ｄ」（スペース）をどの程度とするかは当業者が当該引用発明１を実施する上で設計上定めるべき設計的事項であるから、引用発明１において、「（マトリックス状に配列された）発光ダイオード（ＬＥＤｓ）１２」を内部に収容するハウジングを設けるとともに「熱消散器３０」を該ハウジングに取り付け、「発光制御ユニット５０」が該ハウジング内に収容されるようになし、また、複数の「発光ダイオード（ＬＥＤｓ）１２」が、所望の動作における必要パワー密度によって決められるスペースを持って「ベース部分１０」上に配置されるようになして、上記相違点１に係る本願発明の構成となすことは当業者が容易になし得ることである。
［相違点２］について
　複数の発光素子をアレイ状に配列した基板を複数横方向に配置する発光装置は本願の優先日時点で周知である（必要なら、特開平６−９５５９８号公報（【００１２】、図１）、特開平１０−４９０７６号公報（【００４９】、図５）参照。）ところ、上記２（２）によれば、引用刊行物２には引用発明２が記載され、「多数の赤色、緑色及び青色ＬＥＤ素子を２次元平面状に配置した２次元ＬＥＤアレイ」である「露光光源手段」を備えた「露光装置」において、「２次元ＬＥＤアレイのＬＥＤ素子を点灯するＤＡドライバを調整することにより、ＬＥＤ素子の輝度分布を均一にする」ものが示されているから、引用発明１において、「『ベース部分１０』の一表面上に『発光ダイオード（ＬＥＤｓ）１２』をマトリックス状に配列した部材」（光モジュール）を複数横方向に配置するとともに、「発光ダイオード（ＬＥＤｓ）１２」の輝度分布を均一にするべく、「発光制御ユニット５０」が各「発光ダイオード（ＬＥＤｓ）１２」の電流をバランスさせ、複数の前記「『ベース部分１０』の一表面上に『発光ダイオード（ＬＥＤｓ）１２』をマトリックス状に配列した部材」（光モジュール）を含む「発光ダイオード（ＬＥＤｓ）１２」の電流をバランスさせるようにすることは、当業者が容易になし得ることである。
　また、本願発明の「電流制御回路が、トランジスタを用いたものであ」るとの事項に関して、本願明細書には、「トランジスタベースの回路として実施されるプログラム可能な電流源を使用してＬＥＤを制御し、直列に接続された、及び／または、行列に配置されたＬＥＤアレイにおいて電流を均衡化することができる。」（【００３４】）と記載されており、それ以上の具体的な説明はなされていないことを踏まえると、上記の事項は、「トランジスタベースの回路を含む電流源を用いた」ことを特定した以上のものとは認められない。しかるところ、引用発明１の電流源としてトランジスタベースの回路を含むものを用いることは当業者が必要に応じて適宜になし得ることであって、上記の事項を採用することが当業者において格別困難なものであるとはいえない。
　
　そして、本願発明によってもたらされる効果は、引用発明１、２及び各周知技術から当業者が予測し得る程度のものである。
　
　したがって、本願発明は、引用刊行物１、２に記載された発明及び周知技術に基いて当業者が容易に発明をすることができたものである。
　
　
５　むすび
　以上のとおり、本願発明は、引用刊行物１、２に記載された発明及び周知技術に基いて当業者が容易に発明をすることができたものであるから、特許法第２９条第２項の規定により特許を受けることができない。
　
　よって、結論のとおり審決する。